(57)【要約】【課題】透液性表面シートの肌触りを良好にするとともに、体液を素早く吸収し、かつ表面のべたつきをなくす。【解決手段】透液性表面シート３は、生理用ナプキン１の長手方向に延びる凸部１０と凹部１１とが生理用ナプキン１の幅方向に交互に複数配置された凹凸形状に形成され、前記凸部１０の側面に、矩形状の開孔１２が形成されている。透液性表面シート３の非肌側にセカンドシート６が配設され、前記凸部１０において透液性表面シート３がセカンドシート６から離間して断面略Ω字状の襞状部が形成されるとともに、前記凹部１１において透液性表面シート３とセカンドシート６とが接合されている。【選択図】図３
2018149046.tif 000002
【特許請求の範囲】
【請求項１】
肌当接面側に透液性表面シートが備えられた吸収性物品において、
前記透液性表面シートは、吸収性物品の長手方向に延びる凸部と凹部とが吸収性物品の幅方向に交互に複数配置された凹凸形状に形成され、前記凸部の側面に、矩形状の開孔が形成されていることを特徴とする吸収性物品。
【請求項２】
前記透液性表面シートの非肌側にセカンドシートが配設され、前記凸部において前記透液性表面シートが前記セカンドシートから離間して断面略Ω字状の襞状部が形成されるとともに、前記凹部において前記透液性表面シートとセカンドシートとが接合されている請求項１記載の吸収性物品。
【請求項３】
前記凸部は、該凸部の基端と先端とを結ぶ高さ方向の中間に最大幅を有する断面形状で形成され、前記最大幅を有する高さより基端側の部分に前記開孔が形成されている請求項１、２いずれかに記載の吸収性物品。
【請求項４】
前記開孔の下端と前記凸部の基端との離間高さは、０〜１ｍｍである請求項１〜３いずれかに記載の吸収性物品。
【請求項５】
前記開孔は、幅寸法が２〜４ｍｍ、高さ寸法が０．５〜１．５ｍｍの長方形状に形成されている請求項１〜４いずれかに記載の吸収性物品。
【発明の詳細な説明】
【技術分野】
【０００１】
本発明は、生理用ナプキン、パンティライナー、失禁パッド等の吸収性物品に係り、詳しくは透液性表面シートが凹凸形状に形成されるとともに、凹凸形状の凸部の側面に開孔が設けられた吸収性物品に関する。
【背景技術】
【０００２】
従来より、上記吸収性物品として、ポリエチレンシートまたはポリエチレンシートラミネート不織布などからなる不透液性裏面シートと、不織布または透孔性プラスチックシートなどからなる透液性表面シートとの間に綿状パルプなどからなる吸収体を介在させたものが知られている。
【０００３】
前記透液性表面シートに関しては従来より、肌触りを良くするとともに肌への刺激を少なくしクッション性を高める、或いは肌への接触面積を低減させることによりべたつき感や湿り感を抑えるなどの目的に応じて、凹凸形状に形成されたものが提案されている。
【０００４】
例えば、下記特許文献１では、第１面側に突出する凸部と、第２面側に窪んだ溝部とを備え、前記凸部は、不織布の面の第１方向に向けて延設されているとともに、不織布の面において第１方向と直交する第２方向に予め定めた間隔で複数列設けられ、前記溝部は、前記第２方向に対して隣り合う凸部の間の空間に、前記第１方向に延設されているとともに、前記溝部の溝底部に、該溝部の溝底部よりも前記第２面側に位置する底部を有し、且つ前記第１方向に対して不連続に設けられた複数の凹部を備え、前記凹部は、該凹部の周面の少なくとも一部が、前記第２面に通じる孔部を備える吸収性物品用不織布が開示されている。
【０００５】
また、下記特許文献２では、互いに積層された第１不織布及び第２不織布が部分的に熱融着されてシート形成用融着部が形成され、該第１不織布が、該シート形成用融着部で囲まれた非融着部において該第２不織布から離れる方向に突出して、内部が中空の凸部を多数形成しており、前記シート形成用融着部は、その輪郭よりも内側に、該輪郭の形状に相似する形状の外周縁を有する貫通孔を備え、該シート形成用融着部における前記輪郭と該貫通孔の外周縁との間の部分で、前記第１不織布及び第２不織布が接合されている立体シートが開示されている。
【先行技術文献】
【特許文献】
【０００６】
【特許文献１】特許第５８２９３２６号公報
【特許文献２】特許第５９６０７７５号公報
【発明の概要】
【発明が解決しようとする課題】
【０００７】
しかしながら、上記特許文献１に記載のものでは、凹凸形状に形成された不織布の溝底部に、溝底部より窪んだ凹部が形成され、この凹部の周面に孔部が形成されているため、体圧がかかったとき、凹部に形成された孔部が閉じやすく、孔部を通じて体液を通過させるという効果は期待できない。このため、体液の吸収速度が遅くなり、表面に液残りして使用者がべたつき感を感じる場合があり、充分満足するに至らない。
【０００８】
また、上記特許文献２に記載の立体シートでは、凹凸形状の凹部に貫通孔を備えているため、この貫通孔を通じて体液が素早く通過できるようになっているが、貫通孔が凹部に形成され、吸収体に面しているため、一旦貫通孔を通過した体液が再び貫通孔を通じて表面に逆戻りしやすく、逆戻りした体液によって表面がべたつくおそれがあった。
【０００９】
一般的に、透液性表面シートの通液性を高めるために設けられる開孔は、円形状のものが多いが、粘度の高い経血が円形状の開孔を通過する際、表面張力によって開孔にメニスカスが形成されやすく、このメニスカスが体液の通過を阻害する問題があった。
【００１０】
そこで本発明の主たる課題は、透液性表面シートの肌触りを良好にするとともに、体液を素早く吸収し、かつ表面のべたつきをなくした吸収性物品を提供することにある。
【課題を解決するための手段】
【００１１】
上記課題を解決するために請求項１に係る本発明として、肌当接面側に透液性表面シートが備えられた吸収性物品において、
前記透液性表面シートは、吸収性物品の長手方向に延びる凸部と凹部とが吸収性物品の幅方向に交互に複数配置された凹凸形状に形成され、前記凸部の側面に、矩形状の開孔が形成されていることを特徴とする吸収性物品が提供される。
【００１２】
上記請求項１記載の発明では、透液性表面シートが凹凸形状に形成されているため、透液性表面シートの肌への接触面積が低減し肌触りを良好にすることができる。
【００１３】
また、前記透液性表面シートは、凹凸形状の凸部の側面に、開孔が形成されているため、この開孔を通じて体液が透液性表面シートを通過するので、体液が素早く吸収され、表面のべたつきが生じにくくなる。前記開孔は、凸部の側面に形成されているため、凹部の底面に形成された従来のものに比べて、一旦吸収された体液が開孔を通じて逆戻りしにくく、表面のべたつきがより一層防止できるようになっている。
【００１４】
更に、前記開孔が矩形状に形成されることによって、開孔を通過する体液の表面張力によって開孔にメニスカスが形成されにくく、開孔がメニスカスによって塞がれないため、体液がスムーズに開孔を通過できる。このため、体液が素早く吸収でき、表面のべたつきが生じにくくなる。
【００１５】
請求項２に係る本発明として、前記透液性表面シートの非肌側にセカンドシートが配設され、前記凸部において前記透液性表面シートが前記セカンドシートから離間して断面略Ω字状の襞状部が形成されるとともに、前記凹部において前記透液性表面シートとセカンドシートとが接合されている請求項１記載の吸収性物品が提供される。
【００１６】
上記請求項２記載の発明では、透液性表面シートを凹凸形状に形成する具体例として、前記透液性表面シートの非肌側にセカンドシートを配設し、前記凸部において透液性表面シートがセカンドシートから離間して断面略Ω字状の襞状部を形成するとともに、前記凹部において透液性表面シートとセカンドシートとを接合したものである。凹凸形状の凸部が断面略Ω字状の襞状部からなるため、クッション性に優れ、肌触りを更に良好にすることができるとともに、体圧がかかることによって隣り合う凸部同士の間隔が狭まり、逆戻りした体液があった場合でも、この体液が肌面に接触するのが防止でき、表面のべたつきをより一層生じにくくすることができる。
【００１７】
請求項３に係る本発明として、前記凸部は、該凸部の基端と先端とを結ぶ高さ方向の中間に最大幅を有する断面形状で形成され、前記最大幅を有する高さより基端側の部分に前記開孔が形成されている請求項１、２いずれかに記載の吸収性物品が提供される。
【００１８】
上記請求項３記載の発明は、前記凸部の断面形状と開孔の位置との関係を示したものである。前記凸部の基端と先端とを結ぶ高さ方向の中間に最大幅を有する断面形状で形成された凸部としては、前述の断面略Ω字状の襞状部からなるものを挙げることができる。このような断面形状で形成された凸部に対し、前記開孔が前記最大幅を有する高さより基端側の部分に形成されているため、凹部に流れ込んだ体液が前記開孔を通じて素早く吸収でき、表面のべたつきがより確実に抑えられるようになる。
【００１９】
請求項４に係る本発明として、前記開孔の下端と前記凸部の基端との離間高さは、０〜１ｍｍである請求項１〜３いずれかに記載の吸収性物品が提供される。
【００２０】
上記請求項４記載の発明では、前記開孔を凸部の基端の近傍に形成することによって、凹部に流れ込んだ体液が凹部の表面に溜まることなく、開孔を通じて素早く吸収されるようにしている。
【００２１】
請求項５に係る本発明として、前記開孔は、幅寸法が２〜４ｍｍ、高さ寸法が０．５〜１．５ｍｍの長方形状に形成されている請求項１〜４いずれかに記載の吸収性物品が提供される。
【００２２】
上記請求項５記載の発明では、前記開孔の断面形状を、所定の幅寸法及び高さ寸法を有する長方形状に形成することによって、体液が開孔を通過する際に開孔にメニスカスが生成されるのが確実に抑制され、メニスカスによって体液の通過が阻害されるのが防止できる。
【発明の効果】
【００２３】
以上詳説のとおり本発明によれば、透液性表面シートの肌触りが良好になるとともに、体液が素早く吸収でき、かつ表面のべたつきをなくすことができるようになる。
【図面の簡単な説明】
【００２４】
【図１】本発明に係る生理用ナプキン１の一部破断展開図である。
【図２】図１のII−II線矢視図である。
【図３】透液性表面シート３の拡大斜視図である。
【図４】透液性表面シート３の拡大断面図である。
【図５】製造装置２０を示す模式図である。
【発明を実施するための形態】
【００２５】
以下、本発明の実施の形態について図面を参照しながら詳述する。
【００２６】
〔生理用ナプキン１の基本構成〕
本発明に係る生理用ナプキン１は、図１及び図２に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙又は不織布などからなる被包シート５と、肌当接面側の両側部にそれぞれ長手方向に沿って配設されたサイドシート７、７とから構成されている。また、前記吸収体４の周囲において、そのナプキン長手方向の前後端縁部では、前記不透液性裏面シート２と透液性表面シート３との外縁部がホットメルトなどの接着剤やヒートシール、超音波シール等の接合手段によって接合され、またその両側縁部では吸収体４の側縁よりも側方に延出している前記不透液性裏面シート２と前記サイドシート７とがホットメルトなどの接着剤やヒートシール、超音波シール等の接合手段によって接合され、外周に吸収体４の存在しない外周フラップ部が形成されている。
【００２７】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２８】
前記不透液性裏面シート２と透液性表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および経血等を速やかに拡散させるとともに、一旦吸収した経血等の逆戻りを防止するためにクレープ紙又は不織布などからなる被包シート５によって囲繞されている。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体や、２層の不織布層間に高吸水性樹脂を配置してなるポリマーシートを用いてもよい。
【００２９】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３０】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は吸収体重量の５〜６０％とするのが望ましい。高吸水性樹脂含有率が５％未満の場合には、十分な吸収能を与えることができず、６０％を超える場合にはパルプ繊維間の絡み合いが無くなり、シート強度が低下し破れや割れ等が発生し易くなる。
【００３１】
前記吸収体４を囲繞する被包シート５としては、薄葉紙やティッシュペーパーなどのクレープ紙や不織布を用いることが可能である。前記クレープ紙を構成する繊維素材は、パルプ繊維１００％からなるのが望ましく、薄葉紙やティシュペーパーに用いられる針葉樹パルプ及び広葉樹パルプであるのが望ましい。前記親水性は、スパンボンド不織布やＳＭＳ不織布（ＳＭＳ、ＳＳＭＭＳ等）が好適であり、その材質はポリプロピレン、ポリエチレン／ポリプロピレン複合材などを使用できる。本例のように、吸収体４を囲繞する被包シート５を設ける場合には、結果的に透液性表面シート３と吸収体４との間に被包シート５が介在することになり、吸収性に優れる前記被包シート５によって体液を速やかに拡散させるとともに、これら経血等の逆戻りを防止するようになる。
【００３２】
一方、本生理用ナプキン１の肌当接面側の両側部にはそれぞれ、長手方向に沿ってかつナプキン１のほぼ全長に亘ってサイドシート７、７が設けられ、このサイドシート７、７の一部が側方に延在されるとともに、同じく側方に延在された不透液性裏面シート２の一部とによって、本体部分の両側部に外側に突出するウイング状フラップＷ、Ｗが形成されている。前記ウイング状フラップＷ、Ｗは、装着時に下着のクロッチ部分を巻き込むように、基端部の折り線ＲＬ（図１）にて外側に折り返して使用され、ウイング状フラップＷの不透液性裏面シート２の外面に備えられたズレ止め粘着剤層（図示せず）を下着の外面に貼着することにより、下着とのズレ止めを図るためのものである。
【００３３】
前記サイドシート７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３４】
〔透液性表面シート３〕
以下、前記透液性表面シート３について詳細に説明する。前記透液性表面シート３は、有孔または無孔の不織布が好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００３５】
本生理用ナプキン１において、前記透液性表面シート３は、図３及び図４に示されるように、生理用ナプキン１の長手方向に延びる凸部１０と凹部１１とが生理用ナプキン１の幅方向に交互に複数配置された凹凸形状に形成され、前記凸部１０の側面に、矩形状の開孔１２が形成されていることを特徴としている。前記凸部１０及び凹部１１はそれぞれ、生理用ナプキン１の長手方向に延びるとともに、透液性表面シート３の全長に亘って形成されており、生理用ナプキン１の幅方向に交互に複数列設されることにより、透液性表面シート３が生理用ナプキン１の幅方向に沿って（生理用ナプキン１の幅方向に沿った断面視で）凹凸形状（波形状）に形成されている。ここで、開孔１２が凸部１０の側面に形成されるとは、図４に示される透液性表面シート３の横断面視で、前記開孔１２が、凸部１０を構成する透液性表面シート３のうち、凸部１０の高さ方向の頂点を境に左右のそれぞれの側に設けられていることを意味する。
【００３６】
前記凸部１０は、透液性表面シート３が該透液性表面シート３の非肌側に配置された部材から肌側に突出して、内部が中空に形成された部分である。
【００３７】
前記凹部１１は、前記凸部１０の頂部より相対的に非肌側に窪むとともに、非肌側面が透液性表面シート３の非肌側に配置された部材に接するように形成された部分である。
【００３８】
前記凸部１０に設けられる開孔１２は、透液性表面シート３の肌側と凸部１０の中空状の内部とを透液性表面シート３の厚み方向に貫通する、透液性表面シート３を構成する素材が介在しない部分である。前記開孔１２は、凸部１０の両側面にそれぞれ、凸部１０が延びる方向（生理用ナプキン１の長手方向）に沿って所定の間隔をあけて複数形成されている。
【００３９】
前記透液性表面シート３が凹凸形状に形成されることにより、前記凸部１０の頂部が肌面に接触して、肌面への接触面積が低減するため、透液性表面シート３の肌触りが良く肌への刺激が少なくなり、触感性に優れるようになる。また、凸部１０の内部が中空に形成されるため、クッション性が良く、柔軟な肌当たり感が得られるようになる。
【００４０】
また、前記透液性表面シート３は、凹凸形状の凸部１０の側面に、生理用ナプキン１の長手方向に沿って複数の矩形状の開孔１２、１２…が形成されているため、これらの開孔１２を通じて体液が素早く吸収体４側に吸収されることにより、表面のべたつきが生じなくなる。前記開孔１２は、凸部１０の側面に形成され、中空状に形成された凸部１０の内部に臨んでいるため、凹部の底部に形成した従来のものに比べて、一旦吸収された体液が開孔１２を通じて逆戻りしにくく、表面がべたつくのが防止できる。
【００４１】
更に、前記開孔１２は、角部が存在する矩形状に形成されているため、円形状に形成されたものに比べて、体液が開孔１２を通過する際に、表面張力によって開孔１２を塞ぐようなメニスカスが形成されにくく、体液がスムーズに開孔１２を通過できる。これによって、体液が素早く吸収され、表面のべたつきが生じにくくなる。
【００４２】
凹凸形状に形成された透液性表面シート３の構造について、更に詳しく説明すると、図３及び図４に示されるように、透液性表面シート３の非肌側にセカンドシート６が配設され、前記凸部１０において透液性表面シートがセカンドシート６から離間して断面略Ω字状の襞状部が形成されるとともに、前記凹部１１において透液性表面シート３とセカンドシート６とがホットメルトなどの接着剤やヒートシール、超音波シール等の接合手段によって接合されている。
【００４３】
凹凸形状の凸部１０が断面略Ω字状の襞状部で形成されることによって、透液性表面シート３のクッション性及び感触性が更に良好になるとともに、体圧がかかったときに隣り合う凸部１０、１０同士の間隔が狭まり、凹部１１の表面に液残りした体液や表面に逆戻りした体液が肌面に接触するのが防止でき、表面のべたつきがより一層生じにくくなる。
【００４４】
断面略Ω字状の襞状部からなる凸部１０は、図４に示されるように、該凸部１０の基端と先端（頂部）とを結ぶ高さ方向の中間に最大幅Ａを有する断面形状で形成されている。すなわち、基端における両側の透液性表面シート３、３の離間幅Ｂより、高さ方向の中間部分における両側の透液性表面シート３、３の離間幅（最大幅Ａ）の方が大きく形成されている（Ａ＞Ｂ）。前記凸部１０の断面形状は、凸部１０の両側面を構成する透液性表面シート３、３の離間幅が、基端から肌側に向かうに従って徐々に大きくなるように形成され、高さ方向の中間で離間幅が最大となる最大幅Ａを有するとともに、それより更に肌側に向かうに従って、離間幅が徐々に小さくなり、凸部１０の頂部で両側の透液性表面シート３、３が接続するように形成されている。
【００４５】
前記最大幅Ａとしては１．５〜３．０ｍｍが好ましく、基端の離間幅Ｂとしては０．５〜１．０ｍｍが好ましい。前記最大幅Ａが１．５ｍｍより小さいと、凸部１０の幅が小さすぎて充分満足できる肌触りが得られない。また、前記Ａが３．０ｍｍより大きいと、凸部１０の幅が大きすぎて素材の復元力によるクッション感が得られにくい。一方、基端の離間幅Ｂが０．５ｍｍより小さいと、凸部１０の基端が不安定となり、凸部１０が倒れやすく、柔軟な肌触り感が得られない。また、前記Ｂが１．０ｍｍより大きいと、凸部１０の幅が大きすぎてクッション感が得られにくい。
【００４６】
前記凸部１０の肌側への突出高さＣは、柔軟な肌触りを得るとともに、素材の復元力による凸部の保形性を確保することなどを目的として、１．０〜３．０ｍｍとするのが好ましい。
【００４７】
一方、隣り合う凸部１０、１０間の基端の離間距離Ｄ（凹部１１の幅）は、体圧によって凸部１０が頂部から押されたとき、隣り合う凸部１０、１０が程良くくっついて間隔がなくなり、凹部１１の表面の体液が肌面に接触しにくくなるように、２．０〜４．０ｍｍとするのが好ましい。
【００４８】
前記凸部１０の断面形状を、高さ方向の中間に最大幅Ａを有する形状で形成した場合において、前記開孔１２は、前記最大幅Ａを有する高さより基端側の部分に形成し、最大幅Ａを有する高さより先端側（頂部側）の部分には形成しないのが好ましい。つまり、前記開孔１２は、断面略Ω字状に形成された凸部１０の基端から最大幅Ａを有する高さまでの範囲内に形成するのが好ましい。この範囲内では、前記凸部１０を構成する透液性表面シート３が凸部１０の中心より外側に向けて傾斜して突出しているため、透液性表面シート３の外面側から見たときに開孔１２が直接視認しにくい位置に形成されるようになる。
【００４９】
前記最大幅Ａを有する高さより基端側の凸部１０に前記開孔１２を形成することによって、凹部１１表面の体液が開孔１２を通じて透液性表面シート３を通過しやすくなり、体液が素早く吸収できるとともに、表面のべたつきが抑えられるようになる。また、前記開孔１２が凸部１０の基端から最大幅Ａを有する高さの範囲内に設けられているため、装着時に凸部１０の頂部に体圧が加わったとき、隣り合う凸部１０、１０同士が最大幅Ａの位置又はその近傍で接するように変形するため、開孔１２が直接肌に触れることがなく、開孔１２の端部による肌への刺激などが防止できる。
【００５０】
凹部１１の表面に存在する体液が開孔１２を通じて透液性表面シート３を通過しやすくするため、図４に示されるように、開孔１２の下端と凸部１０の基端との透液性表面シート３に沿った凸部１０の突出方向の離間高さＥは、０〜１ｍｍとするのが好ましい。これによって、前記開孔１２が凸部１０の基端の近傍に形成されるため、凹部１１に流れ込んだ体液が、凹部１１において透液性表面シート３の表面に溜まらずに、開孔１２を通じて素早く吸収されるようになる。
【００５１】
前記開孔１２の形状は、図３に示されるように、幅寸法Ｆ（凸部１０が延びる方向の寸法）が２〜４ｍｍ、高さ寸法Ｇ（凸部１０の突出方向の寸法）が０．５〜１．５ｍｍとなる横長の長方形状で形成するのが好ましい。これにより、体液が開孔１２を通過する際のメニスカスの生成が確実に抑制され、メニスカスによって体液の通過が阻害されるのが防止できる。
【００５２】
前記凸部１０が延びる方向に隣り合う開孔１２、１２の間隔Ｈは、１〜２ｍｍとするのがよい。これによって、開孔１２を体液が通過しやすくなるとともに、凸部１０の形状が安定して形成されるようになる。
【００５３】
上記の構造からなる凹凸形状の透液性表面シート３を製造するには、図５に示されるように、凹凸形状の透液性表面シート３を平坦状に引き伸ばした状態で、開孔１２に対応する位置に先端が矩形状の凸部が形成された凸ロール２１と、前記凸ロール２１の凸部に対応する凹部が形成された凹ロール２２との間に、透液性表面シート３の原反を通過させ、前記凸ロール２１の凸部と凹ロール２２の凹部との噛み合わせにより多数の開孔１２を形成する第１工程と、透液性表面シート３の凸部１０に対応する凸部２３ａ、２３ａ…がロール周方向に沿うとともに、ロール軸方向に所定の間隔をあけて複数設けられた凸ロール２３と、前記凸ロール２３の凸部２３ａに対応する複数の凹部２４ａ、２４ａ…が形成された凹ロール２４との間に、前記第１工程で前記開孔１２を形成した透液性表面シート３を位置合わせしながら通過させ、凸部１０及び凹部１１を形成するとともに、凹部１１を前記凸ロール２３の凸部２３ａに噛み合わせた状態で別経路から搬送されたセカンドシート６を積層するとともに、前記凸ロール２３の凸部２３ａの先端部と平坦ロール２５との間で、前記透液性表面シート３とセカンドシート６とを接合する第２工程とからなる製造装置２０を用いることができる。
【００５４】
前記透液性表面シート３とセカンドシート６との接合は、ホットメルトなどの接着剤やヒートシール、超音波シール等の公知の接合手段を用いることができる。
【００５５】
その後、前記凸ロール２３の凸部２３ａから離型された透液性表面シート３及びセカンドシート６の積層体は、セカンドシート６から突出した部分が素材の復元力によって、図４に示されるような断面略Ω字状の凸部１０を形成するようになる。
【００５６】
なお、前記凸ロール２１と凹ロール２２との間を通過させて多数の開孔１２、１２…を形成した透液性表面シート３を、前記凹ロール２２に巻き付けた状態のまま、第２工程の凹ロール２４に搬送することにより、開孔１２の位置と凹ロール２４の凹部２４ａとの位置合わせが容易となるので好ましい。
【符号の説明】
【００５７】
１…生理用ナプキン、２…不透液性裏面シート、３…透液性表面シート、４…吸収体、５…被包シート、６…セカンドシート、７…サイド不織布、１０…凸部、１１…凹部、１２…開孔、２０…製造装置
【図１】
2018149046.tif 000003
【図２】
2018149046.tif 000004
【図３】
2018149046.tif 000005
【図４】
2018149046.tif 000006
【図５】
2018149046.tif 000007